(57)【要約】      （修正有）【課題】操作性が良く、使い勝手が良い、上下方向に開閉回動し、かつ、水平移動し得る収納装置を提供する。【解決手段】上下位置に配する水平板１，１と、この上下の水平板１，１の左右に配する左右の側板３，３とを有する収納本体６に、この収納本体６の正面開口部を閉塞する開閉蓋板２を設けた収納装置であって、開閉蓋板２の左右端部に枢着軸部８を設け、枢着軸部８がスライド自在に枢着するもので収納本体６の前後方向に長さを有するガイド凹条部３ａ，３ａを側板３，３夫々の内面部上方位置に設けた。【選択図】図３
2015198902.tif 000002
【特許請求の範囲】
【請求項１】
上下位置に配する水平板と、この上下の水平板の左右に配する左右の側板とを有する収納本体に、この収納本体の正面開口部を閉塞する開閉蓋板を設けた収納装置であって、前記開閉蓋板の左右端部に枢着軸部を設け、この枢着軸部がスライド自在に枢着するもので前記収納本体の前後方向に長さを有するガイド凹条部を前記側板夫々の内面部上方位置に設けて、前記正面開口部を閉塞した状態の前記開閉蓋板を水平状態となるまで開放回動自在に構成するとともに、水平状態の前記開閉蓋板を、前記ガイド凹条部に対して前記枢着軸部をスライド移動することにより水平移動して、前記収納本体に出し入れ自在に収納し得るように構成し、水平状態の前記開閉蓋板における水平移動の際、前記開閉蓋板の内面部に当接して水平状態を保持する蓋板支承部を前記側板夫々の内面部上方前端部位置に設け、前記開閉蓋板で前記正面開口部を閉塞した際、前記開閉蓋板の下方位置に設けた係合部に係合して開放回動を抑制する被係合部を前記下の水平板に設け、前記開閉蓋板を閉塞回動して前記係合部が前記被係合部に係合する際、前記開閉蓋板の内面部上方位置に当接することで前記ガイド凹条部に対する前記枢着軸部のスライド移動を阻止するスライド阻止部を前記蓋板支承部に設けたことを特徴とする収納装置。
【請求項２】
前記蓋板支承部は、前記側板夫々の前後方向に長さを有するもので該側板に一体成形される板状体であり、この蓋板支承部の前端部に前記側板の上下方向に長さを有する板状部を一体成形して前記スライド阻止部を構成したことを特徴とする請求項１記載の収納装置。
【請求項３】
前記ガイド凹条部を、前記側板夫々の内面部上方位置にして該側板夫々の前後位置双方に設けるとともに、前記蓋板支承部を、前記側板夫々の内面部上方位置にして該側板夫々の前後端部位置双方に設けて、前記側板夫々は、該側板夫々の前後方向の中央部を中心として左右対称の形状としたことを特徴とする請求項１，２のいずれか１項に記載の収納装置。
【請求項４】
前記ガイド凹条部は、前記枢着軸部が通過し得る間隙を介して上下対向位置に配される一対の突板を前記側板に一体成形して設けたことを特徴とする請求項１〜３のいずれか１項に記載の収納装置。
【請求項５】
前記側板夫々の内面部上方位置には、前記収納本体内に前方下り傾斜状態に配される仕切り板の左右側部後方位置に設けた軸部を枢着する凹状の軸受部を設けており、この上下方向に擺動する仕切り板により収納本体の内空間を上下前後に仕切るように構成したことを特徴とする請求項１〜４のいずれか１項に記載の収納装置。
【請求項６】
前記軸受部を、前記側板夫々の内面部上方位置にして該側板夫々の前後端部位置双方に設けたことを特徴とする請求項５記載の収納装置。
【請求項７】
前記側板夫々の内面部には、この側板を互いに上下逆さま状態として内面部同士を重合した際、前記側板の内面部に設けた被係止部に位置決め係止する位置ズレ防止凸部を有することを特徴とする請求項１〜６のいずれか１項に記載の収納装置。
【請求項８】
前記位置ズレ防止凸部を、前記蓋板支承部及び前記スライド阻止部で構成したことを特徴とする請求項７記載の収納装置。
【請求項９】
前記側板を前記水平板に対して取り外し自在に設けたことを特徴とする請求項１〜８のいずれか１項に記載の収納装置。
【発明の詳細な説明】
【技術分野】
【０００１】
本発明は、収納装置に関するものである。
【背景技術】
【０００２】
従来から、上下位置に配する水平板と、この上下の水平板の左右に配する左右の側板とを有する収納本体に、この収納本体の正面開口部を閉塞する開閉蓋板を設けた収納装置として、例えば特開平８−２６０８０８号に開示されるような収納装置（以下、従来例）が提案されている。
【０００３】
この従来例は、正面開口部を閉塞した状態の開閉蓋板を水平状態となるまで開放回動自在に構成するとともに、水平状態の開閉蓋板を水平移動して収納本体内の上部に摺動収納し得るようにしたものであり、普段は開閉蓋板により収納本体内を隠蔽した状態とすることができ、収納本体に対して物を出し入れするときには、開閉蓋板を回動操作及び押込み操作することで、収納本体内に収納することで良好な開口状態が得られることになる。
【先行技術文献】
【特許文献】
【０００４】
【特許文献１】特開平８−２６０８０８号公報
【発明の概要】
【発明が解決しようとする課題】
【０００５】
本発明者は、前述した上下方向へ開閉回動し且つ水平移動し得る開閉蓋板を備えた収納装置に関して更なる研究・開発を進めた結果、極めて商品価値の高い画期的な収納装置を開発した。
【課題を解決するための手段】
【０００６】
添付図面を参照して本発明の要旨を説明する。
【０００７】
上下位置に配する水平板１，１と、この上下の水平板１，１の左右に配する左右の側板３，３とを有する収納本体６に、この収納本体６の正面開口部５を閉塞する開閉蓋板２を設けた収納装置であって、前記開閉蓋板２の左右端部に枢着軸部８を設け、この枢着軸部８がスライド自在に枢着するもので前記収納本体６の前後方向に長さを有するガイド凹条部３ａ，３ａを前記側板３，３夫々の内面部上方位置に設けて、前記正面開口部５を閉塞した状態の前記開閉蓋板２を水平状態となるまで開放回動自在に構成するとともに、水平状態の前記開閉蓋板２を、前記ガイド凹条部３ａ，３ａに対して前記枢着軸部８をスライド移動することにより水平移動して、前記収納本体６に出し入れ自在に収納し得るように構成し、水平状態の前記開閉蓋板２における水平移動の際、前記開閉蓋板２の内面部に当接して水平状態を保持する蓋板支承部10を前記側板３，３夫々の内面部上方前端部位置に設け、前記開閉蓋板２で前記正面開口部５を閉塞した際、前記開閉蓋板２の下方位置に設けた係合部11に係合して開放回動を抑制する被係合部９を前記下の水平板１に設け、前記開閉蓋板２を閉塞回動して前記係合部11が前記被係合部９に係合する際、前記開閉蓋板２の内面部上方位置に当接することで前記ガイド凹条部３ａ，３ａに対する前記枢着軸部８のスライド移動を阻止するスライド阻止部12を前記蓋板支承部10に設けたことを特徴とする収納装置に係るものである。
【０００８】
また、前記蓋板支承部10は、前記側板３，３夫々の前後方向に長さを有するもので該側板３，３に一体成形される板状体であり、この蓋板支承部10の前端部に前記側板３，３の上下方向に長さを有する板状部を一体成形して前記スライド阻止部12を構成したことを特徴とする請求項１記載の収納装置に係るものである。
【０００９】
また、前記ガイド凹条部３ａ，３ａを、前記側板３，３夫々の内面部上方位置にして該側板３，３夫々の前後位置双方に設けるとともに、前記蓋板支承部10を、前記側板３，３夫々の内面部上方位置にして該側板３，３夫々の前後端部位置双方に設けて、前記側板３，３夫々は、該側板３，３夫々の前後方向の中央部を中心として左右対称の形状としたことを特徴とする請求項１，２のいずれか１項に記載の収納装置に係るものである。
【００１０】
また、前記ガイド凹条部３ａ，３ａは、前記枢着軸部８が通過し得る間隙を介して上下対向位置に配される一対の突板３ａ'を前記側板３，３に一体成形して設けたことを特徴とする請求項１〜３のいずれか１項に記載の収納装置に係るものである。
【００１１】
また、前記側板３，３夫々の内面部上方位置には、前記収納本体６内に前方下り傾斜状態に配される仕切り板13の左右側部後方位置に設けた軸部13ａを枢着する凹状の軸受部14を設けており、この上下方向に擺動する仕切り板13により収納本体６の内空間を上下前後に仕切るように構成したことを特徴とする請求項１〜４のいずれか１項に記載の収納装置に係るものである。
【００１２】
また、前記軸受部14を、前記側板３，３夫々の内面部上方位置にして該側板３，３夫々の前後端部位置双方に設けたことを特徴とする請求項５記載の収納装置に係るものである。
【００１３】
また、前記側板３，３夫々の内面部には、この側板３，３を互いに上下逆さま状態として内面部同士を重合した際、前記側板３，３の内面部に設けた被係止部15，16に位置決め係止する位置ズレ防止凸部を有することを特徴とする請求項１〜６のいずれか１項に記載の収納装置に係るものである。
【００１４】
また、前記位置ズレ防止凸部を、前記蓋板支承部10及び前記スライド阻止部12で構成したことを特徴とする請求項７記載の収納装置に係るものである。
【００１５】
また、前記側板３，３を前記水平板１，１に対して取り外し自在に設けたことを特徴とする請求項１〜８のいずれか１項に記載の収納装置に係るものである。
【発明の効果】
【００１６】
本発明は上述のように構成したから、非常に操作性が良くて使い勝手が良いなど、極めて商品価値の高い画期的な収納装置となる。
【００１７】
また、請求項２記載の発明においては、開閉蓋板における円滑な回動及び水平移動が達成されることになるなど、極めて商品価値の高い画期的な収納装置となる。
【００１８】
また、請求項３記載の発明においては、左右の側板を、例えば左専用の側板、右専用の側板といった取付位置や方向が決められた場合に生じ得る、組み立てミスや組み立ての煩わしさを確実に防止することができ、しかも、左右の側板を共通化することによる量産性の向上とコスト削減が望めるなど、極めて商品価値の高い画期的な収納装置となる。
【００１９】
また、請求項４記載の発明においては、枢着軸部における安定的なスライド移動が得られることになり、しかも、ガイド凹条部が側板の補強構造としても寄与することになるなど、極めて商品価値の高い画期的な収納装置となる。
【００２０】
また、請求項５記載の発明においては、収納本体の内空間を上下前後に仕切って種々の使用状態が得られて非常に使い勝手が良いなど、極めて商品価値の高い画期的な収納装置となる。
【００２１】
また、請求項６記載の発明においては、非常に使い勝手が良く、しかも、量産性の向上とコスト削減が望めるなど、極めて商品価値の高い画期的な収納装置となる。
【００２２】
また、請求項７記載の発明においては、位置ズレ防止構造を具備することで、例えば梱包する際など、側板同士の良好な重合状態が得られることになり、しかも、側板同士を重合した際の位置ズレすることによるパーツの破損等も防止することができるなど、極めて商品価値の高い画期的な収納装置となる。
【００２３】
また、請求項８記載の発明においては、位置ズレ防止構造が前述した秀れた機能を有する部位を利用するという非常に効率の良い構成であるなど、極めて商品価値の高い画期的な収納装置となる。
【００２４】
また、請求項９記載の発明においては、例えば水平板から側板を取り外してコンパクトな状態にできたり、部品を足したり取り替えて使い易い状態にできるなど、極めて商品価値の高い画期的な収納装置となる。
【図面の簡単な説明】
【００２５】
【図１】本実施例を示す斜視図である。
【図２】本実施例の使用状態を示す斜視図である。
【図３】本実施例を示す分解斜視図である。
【図４】本実施例の要部を示す側面図である。
【図５】本実施例の要部の動作説明図である。
【図６】本実施例の要部の動作説明図である。
【図７】本実施例の要部の動作説明図である。
【図８】本実施例の要部の動作説明図である。
【図９】本実施例の使用状態を示す側断面図である。
【図１０】本実施例の要部の説明図である。
【図１１】本実施例の要部の説明図である。
【図１２】本実施例の要部の説明図である。
【図１３】本実施例の要部の説明断面図である。
【図１４】本実施例の要部の説明断面図である。
【発明を実施するための形態】
【００２６】
好適と考える本発明の実施形態（発明をどのように実施するか）を、図面に基づいて本発明の作用を示して簡単に説明する。
【００２７】
例えば、正面開口部５を閉塞した状態の開閉蓋板２の下端部を持ち、この開閉蓋板２の左右端部に設けた枢着軸部８をガイド凹条部３ａ，３ａを支点に回動させることで、開閉蓋板２を水平状態となるまで開放回動する。この際、正面開口部５は開放された状態となる。
【００２８】
この水平状態とした開閉蓋板２を水平方向へ押し、ガイド凹条部３ａ，３ａに対して枢着軸部８をスライド移動させることで、開閉蓋板２は水平移動して収納本体６に収納される。この際、水平移動する開閉蓋板２は、枢着軸部８がガイド凹条部３ａ，３ａで支承されるとともに、側板３，３夫々の内面部上方前端位置に設けた蓋板支承部10で支承されており、よって、開閉蓋板２の水平状態は確実に保持された状態で円滑な水平移動が行われる。
【００２９】
また、開放状態の正面開口部５を開閉蓋板２で閉塞する場合、収納本体６に収納された開閉蓋板２を引き出して水平移動させた後、この引き出された開閉蓋板２を閉塞回動させて正面開口部５を閉塞する（この閉塞蓋板２により閉塞する場合においても、開放する場合と同様に、枢着軸部８，ガイド凹条部３ａ，３ａ及び蓋板支承部10が良好に機能する。）。この開閉蓋板２の閉塞回動の際、開閉蓋板２の下方位置に設けた係合部11が下の水平板１に設けた被係合部９に係合して正面開口部５は開放回動を抑制された状態で閉塞状態となる。
【００３０】
ところで、開閉蓋板２を閉塞回動して係合部11を被係合部９に係合させる際、仮に枢着軸部８がこの閉塞回動における軸回動時にガイド凹条部３ａ，３ａに対してスライド移動してしまうと、例えばこの開閉蓋板２の閉塞回動に伴う係合部11の回動軌道がずれて該係合部11は被係合部９に対して係合しなかったり、良好に係合せずに半端な係合状態となり十分な係合作用が得られないなどの問題が生じ得るが、この点、本発明は、開閉蓋板２の内面部上方位置にスライド阻止部12が当接することで、ガイド凹条部３ａ，３ａに対する枢着軸部８のスライド移動が阻止されることになる為、開閉蓋板２の閉塞回動に伴う係合部11の回動軌道がずれることなく、よって、被係合部９に対する係合部11の良好な係合状態が得られ、ひいては、十分な係合作用が発揮されて良好な閉塞状態が得られることになる。そして、被係合部９に対する係合部11を解除する開放回動の際においても、開閉蓋板２の内面部上方位置にスライド阻止部12が当接しており、ガイド凹条部３ａ，３ａに対する枢着軸部８のスライド移動が阻止されることになる為、良好な開放回動が行われることになる。
【００３１】
また、本発明は、前述したスライド阻止部12を蓋板支承部10に設けた構造の為、スライド阻止部12を蓋板支承部10とば別に設ける場合（分離した構造）に比し、強度上非常に秀れた構造となる。
【００３２】
また、蓋板支承部10は、側板３，３夫々の前後方向に長さを有するもので該側板３，３に一体成形される板状体であり、この蓋板支承部10の前端部に側板３，３の上下方向に長さを有する板状部12を一体成形してスライド阻止部12を構成した場合には、蓋板支承部10とスライド阻止部12とが互いに支え合って強度上非常に秀れることになり、しかも、例えば、開閉蓋板２が開閉回動している際や、開閉蓋板２が水平移動している際など、常に開閉蓋体２は蓋板支承部10若しくはスライド阻止部12に当接して支持された状態が得られることになり、つまり、この開閉蓋板２の開閉回動や水平移動が良好に行われ、且つ、この開閉回動と水平移動との間の切り替わりも円滑に行われることになる。この円滑な操作感から、ユーザーはストレスを感じず、良好な使用感が得られることになる。
【実施例】
【００３３】
本発明の具体的な実施例について図面に基づいて説明する。
【００３４】
本実施例は、上下位置に所定間隔を介して配する水平板１，１と、この上下の水平板１，１の左右に配する左右の側板３，３と、背板４とを有する四角筒状の収納本体６に、この収納本体６の正面開口部５を閉塞する開閉蓋板２を設けた収納装置である。尚、本実施例では収納本体６を上下に３つ配した三段構造としているが、一段でも二段でも、四段以上の構造でも良く、この収納本体６を複数段設ける場合、上下に隣接する収納本体６の間の水平板１は、下段の収納本体６の上の水平板１及び上段の収納本体６の下の水平板１として兼用される。
【００３５】
以下、本実施例に係る構成各部について詳細な説明をする。
【００３６】
水平板１，１は、図１〜３に図示したように適宜な合成樹脂製の部材を一体成形した方形板状体であり、本実施例では、最上段に配される第一の水平板１と、それ以外の下段に配される第二の水平板１とが設けられている。
【００３７】
この第一の水平板１の下面部左右端部には、複数の連結凹部（図示省略）が前後方向に並設されており、この連結凹部は、後述する左右の側板３，３の連結凸部３ｂを抜脱自在（取り外し自在）に差し込み嵌合連結するためのものである。
【００３８】
また、この第一の水平板１の左右側面部には、孔から成る被係止部１ｃが設けられており、この被係止部１ｃには、連結凹部に連結凸部３ｂを差し込み嵌合させた際、連結凸部３ｂに設けられた後述する爪状の係止部３ｂ'が係脱自在に係止するように構成されている。
【００３９】
従って、係止部３ｂ'が被係止部１ｃに係止した状態においては、連結凸部３ｂは連結凹部に対して抜け止め状態となる。
【００４０】
また、第一の水平板１の下面部前後端部夫々には、溝状の凹部（図示省略）が設けられており、この凹部は、後述する背板４の上端部及び下端部に設けられる連結凸部４ａのいずれか一方を抜脱自在（取り外し自在）に差し込み嵌合連結するためのものである。尚、第一の水平板１の前後面部にも孔から成る被係止部を設け、この被係止部に係脱自在に係止する爪状の係止部を背板４の連結凸部４ａに設けても良い。
【００４１】
第二の水平板１の上面部及び下面部夫々の左右端部には、複数の連結凹部１ａが並設されており、この連結凹部１ａは、側板３，３の連結凸部３ｂを抜脱自在（取り外し自在）に差し込み嵌合連結するためのものである。
【００４２】
また、この第二の水平板１の左右側面部には、孔から成る被係止部１ｃが設けられており、この被係止部１ｃには、連結凹部１ａに連結凸部３ｂを差し込み嵌合させた際、連結凸部３ｂに設けられた後述する爪状の係止部３ｂ'が係脱自在に係止するように構成されている（図13，14参照）。
【００４３】
従って、係止部３ｂ'が被係止部１ｃに係止した状態においては、連結凸部３ｂは連結凹部１ａに対して抜け止め状態となる。
【００４４】
また、第二の水平板１の上面部後端部及び下面部後端部には、溝状の凹部１ｂが設けられており、この凹溝部１ｂは背板４の上端部及び下端部に設けられる連結凸部４ａを差し込み嵌合連結するためのものである。尚、第二の水平板１の前後面部にも孔から成る被係止部を設け、この被係止部に係脱自在に係止する爪状の係止部を背板４の連結凸部４ａに設けても良い。
【００４５】
また、第二の水平板１の上面部前端部中央位置には、被係合部９（半円柱状の凸部）が設けられており、この被係合部９は、後述する開閉蓋板２に設けられる係合部11と凹凸係合するものである。
【００４６】
左右の側板３，３は、図１〜４に図示したように適宜な合成樹脂製の部材で一体成形した方形板状体であり、本実施例に係る側板３，３は、全て同一寸法の相似形状であり共通パーツ化されている。
【００４７】
具体的には、側板３，３の上下端部夫々には、連結凸部３ｂが一体成形されており、この連結凸部３ｂは水平板１，１に設けた連結凹部１ａに抜脱自在（取り外し自在）に差し込み嵌合連結するためのものである。
【００４８】
この連結凸部３ｂの周面には、図４に図示したように爪状の係止部３ｂ'が設けられており、この係止部３ｂ'はコ字状のスリット部を設けることで切り抜き形成された片状体に係止凸部を設けた構成であり、連結凸部３ｂを連結凹部１ａに差し込み嵌合させた際、撓み変形した後、復帰動することで被係止部１ｃに係止するように構成されている（図13，14参照）。この係止部３ｂ'が被係止部１ｃに係止した状態において連結凸部３ｂは被係止部１ｃに対して抜け止め状態となり、係止部３ｂ'を押圧して被係止部１ｃに対する係止を解除することで連結凹部１ａから連結凸部３ｂを引き抜くことができる。
【００４９】
また、側板３，３の内面部前後端部には、該側板３，３の上下方向に長さを有する凹溝部３ｃが設けられており、この側板３，３の凹溝部３ｃは、後述する背板４の左右端部に設けられる連結凸部４ｂを差し込み嵌合連結するためのものである。尚、側板３，３の前後面部にも孔から成る被係止部を設け、この被係止部に係脱自在に係止する爪状の係止部を背板４の連結凸部４ｂに設けても良い。
【００５０】
また、側板３，３の内面部上方位置には、該側板３，３（収納本体６）の前後方向に長さを有するガイド凹条部３ａ，３ａが設けられており、このガイド凹条部３ａ，３ａは、後述する開閉蓋板２の枢着軸部８が通過し得る間隙を介して上下対向位置に配される一対の突板３ａ'，３ａ'を側板３，３に一体成形して設けた構成であり、このガイド凹条部３ａ，３ａには、後述する開閉蓋板２の枢着軸部８がスライド自在にして回動自在に枢着するように構成されている。
【００５１】
従って、正面開口部５を閉塞した状態の開閉蓋板２を水平状態となるまで開放回動自在に構成するとともに、水平状態の開閉蓋板２を、ガイド凹条部３ａ，３ａに対して枢着軸部８をスライド移動することにより水平移動して、収納本体６内に出し入れ自在に収納（上の水平板１の下面に添設状態に収納）し得るように構成している。
【００５２】
また、このガイド凹条部３ａ，３ａは、側板３，３の内面部上方位置の前端から後端まで設けられることで、側板３，３の補強リブとしても機能することになる。
【００５３】
また、本実施例は、水平状態の開閉蓋板２における水平移動の際、開閉蓋板２の内面部に当接して水平状態を保持する蓋板支承部10を側板３，３の内面部上方位置に設けている。
【００５４】
具体的には、蓋板支承部10は、側板３，３の前後方向に長さを有するもので該側板３，３に一体成形される板状体であり、この蓋板支承部10の前端部に側板３，３の上下方向に長さを有する板状部を一体成形してスライド阻止部12を設けており、つまり、この蓋板支承部10及びスライド阻止部12は、側板３，３の合成樹脂成型時にＬ字状板体を一体成形することで設けられている。
【００５５】
スライド阻止部12は、後述する開閉蓋板２を閉塞回動して係合部11が被係合部９に係合する際、並びに、被係合部９に係合する係合部11を解除すべく開閉蓋板２を開放回動する際、開閉蓋板２の内面部上方位置に当接することでガイド凹条部３ａ，３ａに対する枢着軸部８のスライド移動を阻止するものである。
【００５６】
また、側板３，３夫々の内面部上方位置には、収納本体６内に前方下り傾斜状態に配される仕切り板13の左右側部後方位置に設けた軸部13ａを枢着する凹状の軸受部14を設けており、この上下方向に擺動する仕切り板13により収納本体６の内空間を上下前後に仕切るように構成している。この収納本体６の内空間を上下前後に仕切ることで、主にシューズラックとして利用できる。
【００５７】
本実施例では、ガイド凹条部３ａ，３ａを、側板３，３夫々の内面部上方位置にして該側板３，３夫々の前後位置双方に一対設け、スライド阻止部12が一体に設けられる蓋板支承部10を、側板３，３夫々の内面部上方位置にして該側板３，３夫々の前後端部位置双方に一対設け、軸受部14を、側板３，３夫々の内面部上方位置にして該側板３，３夫々の前後端部位置双方に一対設けて、側板３，３夫々は、該側板３，３夫々の前後方向の中央部を中心（境界）として左右対称の形状としている。
【００５８】
また、側板３，３夫々の内面部には、図10〜12に図示したようにこの側板３，３を互いに上下逆さま状態として内面部同士を重合した際、側板３，３の内面部に設けた被係止部15，16に位置決め係止する位置ズレ防止凸部を有し、この位置ズレ防止凸部を蓋板支承部10及びスライド阻止部12で構成している。
【００５９】
具体的には、本実施例は、側板３，３の内面部に、該側板３，３の前後端部の縁部に沿って板状体16（リブ）が立設されており、この板状体16は前述した凹溝部３ｃの一部を構成するものであり、且つ、スライド阻止部12が係止する被係止部16として構成されている。
【００６０】
また、板状体16の所定位置には突板15が一体成形されており、この突板15は蓋板支承部10が係止する被係止部15として構成されている。
【００６１】
従って、側板３，３を互いに上下逆さま状態として内面部同士を重合した際、側板３，３夫々の蓋板支承部10及びスライド阻止部12と被係止部15，16とが４カ所で係止して、この側板３，３を正面方向から見て上下方向（図10中の矢印ａ方向）及び左右方向（図10中の矢印ｂ方向）の位置ズレが防止されることになる。
【００６２】
尚、蓋体支承部10及びスライド阻止部12は板状体16の内側に設けられており、重ねた際、一の側板３の蓋体支承部10及びスライド阻止部12が他の側板３の板状体16に干渉しないように構成されている。
【００６３】
また、側板３，３夫々の内面部中央位置には、該側板３，３の前後方向に長さを有する板状体18（リブ）が設けられており、この板状体18には、収納本体６の内空間を上下に仕切る中央仕切り板17が架設状態に配設される（図９参照）。
【００６４】
開閉蓋板２は、図１〜３に図示したように適宜な合成樹脂製の部材で一体成形した方形板状体であり、左右端部には枢着軸部８が設けられ、この枢着軸部８は側板３，３夫々に設けたガイド凹条部３ａ，３ａにスライド自在に枢着するように構成されている。
【００６５】
また、開閉蓋板２の下方位置（下端中央位置）には、水平板１に設けた被係合部９に凹凸係合する凹状の係合部11が設けられている。
【００６６】
この係合部11は、開閉蓋板２の下端部の所定位置に一対のスリットを設けて撓み変形自在に設けられた可動板部２ａに設けられており、開閉蓋板２を閉塞回動させた際、可動板部２ａが変形した後、係合部11が被係合部９に乗り上がり係合するように構成されている。
【００６７】
符号２ｂは指掛け部である。
【００６８】
背板４は、図３に図示したように適宜な合成樹脂製の部材で一体成形した方形板状体であり、上下端部には、水平板１，１の凹溝部１ｂに抜脱自在（取り外し自在）に差し込み嵌合連結する連結凸部４ａが一体成形され、左右端部には、側板１，１の凹溝部３ｃに抜脱自在（取り外し自在）に差し込み嵌合連結する連結凸部４ｂが一体成形されている。
【００６９】
符号19は、水平板１，１の連結凹部１ａに抜脱自在（取り外し自在）に差し込み嵌合連結する脚部材であり、この脚部材19にも水平板１，１の左右側面部に設けられる孔から成る被係止部１ｃに係脱自在に係止する爪状の係止部19ａが設けられている。
【００７０】
本実施例は上述のように構成したから、正面開口部５を閉塞した状態の開閉蓋板２の下端部を持ち（指掛け部２ｂに指を掛け）、この開閉蓋板２の左右端部に設けた枢着軸部８をガイド凹条部３ａ，３ａを支点に回動させることで、開閉蓋板２を水平状態となるまで開放回動する。この際、正面開口部５は開放された状態となる。
【００７１】
この水平状態とした開閉蓋板２を水平方向へ押し、ガイド凹条部３ａ，３ａに対して枢着軸部８をスライド移動させることで、開閉蓋板２は水平移動して収納本体６に収納される。この際、水平移動する開閉蓋板２は、枢着軸部８がガイド凹条部３ａ，３ａで支承されるとともに、側板３，３夫々の内面部上方前端位置に設けた蓋板支承部10で支承されており、よって、開閉蓋板２の水平状態は確実に保持された状態で円滑な水平移動が行われる。
【００７２】
また、開放状態の正面開口部５を開閉蓋板２で閉塞する場合、収納本体６に収納された開閉蓋板２を引き出して水平移動させた後、この引き出された開閉蓋板２を閉塞回動させて正面開口部５を閉塞する（この閉塞蓋板２により閉塞する場合においても、開放する場合と同様に、枢着軸部８，ガイド凹条部３ａ，３ａ及び蓋板支承部10が良好に機能する。）。この開閉蓋板２の閉塞回動の際、開閉蓋板２の下方位置に設けた係合部11が下の水平板１に設けた被係合部９に係合して正面開口部５は開放回動を抑制された状態で閉塞状態となる（図５〜８参照）。
【００７３】
また、本実施例は、開閉蓋板２の内面部上方位置にスライド阻止部12が当接することで、ガイド凹条部３ａ，３ａに対する枢着軸部８のスライド移動が阻止されることになる為、開閉蓋板２の閉塞回動に伴う係合部11の回動軌道がずれることなく、よって、被係合部９に対する係合部11の良好な係合状態が得られ、ひいては、十分な係合作用が発揮されて良好な閉塞状態が得られることになる。そして、被係合部９に対する係合部11を解除する開放回動の際においても、開閉蓋板２の内面部上方位置にスライド阻止部12が当接しており、ガイド凹条部３ａ，３ａに対する枢着軸部８のスライド移動が阻止されることになる為、良好な開放回動が行われることになる。
【００７４】
よって、本実施例によれば、非常に操作性が良くて使い勝手が良いことになる。
【００７５】
また、本実施例は、スライド阻止部12を蓋板支承部10に設けた構造の為、スライド阻止部12を蓋板支承部10とば別に設ける場合（分離した構造）に比し、強度上非常に秀れた構造となる。
【００７６】
また、本実施例は、蓋板支承部10は、側板３，３夫々の前後方向に長さを有するもので該側板３，３に一体成形される板状体であり、この蓋板支承部10の前端部に側板３，３の上下方向に長さを有する板状部12を一体成形してスライド阻止部12を構成しから、蓋板支承部10とスライド阻止部12とが互いに支え合って強度上非常に秀れることになり、しかも、例えば、開閉蓋板２が開閉回動している際や、開閉蓋板２が水平移動している際など、常に開閉蓋体２は蓋板支承部10若しくはスライド阻止部12に当接して支持された状態が得られることになり、つまり、この開閉蓋板２の開閉回動や水平移動が良好に行われ、且つ、この開閉回動と水平移動との間の切り替わりも円滑に行われることになる。この円滑な操作感から、ユーザーはストレスを感じず、良好な使用感が得られることになる。
【００７７】
尚、本発明は、本実施例に限られるものではなく、各構成要件の具体的構成は適宜設計し得るものである。
【符号の説明】
【００７８】
１  水平板
２  開閉蓋板
３  側板
３ａ  ガイド凹条部
３ａ'  突板
５  正面開口部
６  収納本体
８  枢着軸部
９  被係合部
10  蓋板支承部
11  係合部
12  スライド阻止部
13  仕切り板
14  軸受部
15  被係止部
16  被係止部
【図１】
2015198902.tif 000003
【図２】
2015198902.tif 000004
【図３】
2015198902.tif 000005
【図４】
2015198902.tif 000006
【図５】
2015198902.tif 000007
【図６】
2015198902.tif 000008
【図７】
2015198902.tif 000009
【図８】
2015198902.tif 000010
【図９】
2015198902.tif 000011
【図１０】
2015198902.tif 000012
【図１１】
2015198902.tif 000013
【図１２】
2015198902.tif 000014
【図１３】
2015198902.tif 000015
【図１４】
2015198902.tif 000016